(57)【要約】【課題】面付けユニットの交換を容易にすると共に盗難を抑制するための面付けユニットの取付構造を提供する。【解決手段】  本発明の面付けユニットとしての外側ユニット５の取付構造は、扉２の室外側壁面２ｃに両面テープ３８（粘着部材）を介して貼着される外側ユニット５と、外側ユニット５に連結プレート４０を介して連結されるシリンダー６と、外側ユニット５に連結されたシリンダー６を扉２または扉２に内設される錠ケース１０に保持させる保持装置７と、を備えている。【選択図】図２
2016079666.tif 000002
【特許請求の範囲】
【請求項１】
扉の一面に粘着部材を介して貼着される面付けユニットと、
前記面付けユニットに連結されるシリンダーと、
前記面付けユニットに連結された前記シリンダーを前記扉または前記扉に内設される錠ケースに保持させる保持機構と、を備えていることを特徴とする面付けユニットの取付構造。
【請求項２】
前記扉と前記面付けユニットとの間に配置される取付台座を更に備え、
前記面付けユニットは、前記取付台座側に形成される係合部を有し、
前記取付台座は、
前記粘着部材を介して前記扉の一面に貼着される台座本体と、
前記台座本体に形成され、前記係合部に着脱可能に係合する被係合部と、を含んで構成されていることを特徴とする請求項１に記載の面付けユニットの取付構造。
【請求項３】
前記係合部と前記被係合部のいずれか一方は、弾性変形可能に形成されるフック部であり、
前記係合部と前記被係合部のいずれか他方は、前記フック部を係止可能に形成される凹部であり、
前記面付けユニットおよび前記取付台座には、前記フック部を前記凹部から離脱させる操作を行うための治具を進入させる解除開口部が形成されていることを特徴とする請求項２に記載の面付けユニットの取付構造。
【請求項４】
前記係合部および前記被係合部は、それぞれ、複数形成されていることを特徴とする請求項２または３に記載の面付けユニットの取付構造。
【請求項５】
前記錠ケースは、電気的な駆動源によって前記扉の木口側でデッドボルトを進退させるボルト機構を内包し、
前記面付けユニットは、前記ボルト機構を動作させて施解錠を行う場合に操作される電装部材を含むことを特徴とする請求項１ないし４のいずれかに記載の面付けユニットの取付構造。
【発明の詳細な説明】
【技術分野】
【０００１】
本発明は、扉の一面に固定される面付けユニットの取付構造に関する。
【背景技術】
【０００２】
例えば、手動式の錠前から電気錠に交換する場合、既設の錠前を撤去した後に、電気錠を取り付けなければならなかった。このとき、扉に電気錠を取り付けるための穴を開ける等、扉の改修を行う必要があった。このため、扉の改修作業に余計な費用と時間がかかるという問題があった。また、一度、扉を改修してしまうと元に戻すことができないため、賃貸住宅等では錠前の交換を安易に行うことができなかった。
【０００３】
以上のような問題を解決するための技術が提案されている。特許文献１に記載の電気錠（アダプター本体）は、扉の室内側に設けられたサムターン錠に嵌まる係合部と、係合部を回転させ施解錠操作を行う駆動部と、係合部および駆動部を支持して扉に貼着される底面パネルと、を備えている。底面パネルは、両面テープによって扉の一面に貼着されている。この電気錠は、扉に貼り付けるだけで交換作業を完了することができる。
【先行技術文献】
【特許文献】
【０００４】
【特許文献１】実用新案登録第３０９７４４５号公報
【発明の概要】
【発明が解決しようとする課題】
【０００５】
しかしながら、特許文献１に記載の電気錠は、両面テープで扉に貼付されているだけであるため、扉の室外側に取り付けるユニットに適用することが困難であった。仮に、電気錠の室外側のユニットを両面テープで貼り付けた場合、悪意のある者によって当該ユニットが持ち去られる虞（盗難の虞）があった。
【０００６】
本発明は、上記した課題を解決すべくなされたものであり、面付けユニットの盗難を抑制するための面付けユニットの取付構造を提供することを目的とする。
【課題を解決するための手段】
【０００７】
上記した目的を達成するため、本発明の面付けユニットの取付構造は、扉の一面に粘着部材を介して貼着される面付けユニットと、前記面付けユニットに連結されるシリンダーと、前記面付けユニットに連結された前記シリンダーを前記扉または前記扉に内設される錠ケースに保持させる保持機構と、を備えている。
【０００８】
この構成によれば、シリンダーは、面付けユニットに連結されると共に扉または錠ケース（以下、「扉等」という。）に固定されている。すなわち、面付けユニットは、シリンダーを介して扉等に固定されている。したがって、面付けユニットは、扉から引き剥がされたとしても、シリンダーを介して扉等に固定（保持）された状態を維持される。これにより、例えば、扉の屋外側の一面に面付けユニットを貼着させた場合であっても、面付けユニットの盗難を抑制することができる。
【０００９】
この場合、前記扉と前記面付けユニットとの間に配置される取付台座を更に備え、前記面付けユニットは、前記取付台座側に形成される係合部を有し、前記取付台座は、前記粘着部材を介して前記扉の一面に貼着される台座本体と、前記台座本体に形成され、前記係合部に着脱可能に係合する被係合部と、を含んで構成されていることが好ましい。
【００１０】
この構成によれば、取付台座は、扉に貼着されると共に面付けユニットを着脱可能に支持している。例えば、面付けユニットやシリンダーを交換する場合、作業者は、シリンダーと扉等との連結を解除し、面付けユニットの係合部と取付台座の被係合部との係合を解除する。以上の手順によって、面付けユニットおよびシリンダーは、扉等から取り外される。したがって、取付台座が扉に貼着した状態を維持しつつ、面付けユニットやシリンダーの交換を簡単に行うことができる。また、取付台座を扉の一面から引き剥がす必要がないため、扉の一面に粘着部材が残存することもない。これにより、粘着部材の除去作業を省略することができると共に粘着部材の跡が露出するという問題を防止することができる。
【００１１】
この場合、前記係合部と前記被係合部のいずれか一方は、弾性変形可能に形成されるフック部であり、前記係合部と前記被係合部のいずれか他方は、前記フック部を係止可能に形成される凹部であり、前記面付けユニットおよび前記取付台座には、前記フック部を前記凹部から離脱させる操作を行うための治具を進入させる解除開口部が形成されていることが好ましい。
【００１２】
この構成によれば、面付けユニットと取付台座とは、フック部と凹部とからなる所謂スナップフィットによって係合している。面付けユニットは、治具を用いてスナップフィットの係合を解除することで、取付台座から分離可能な状態になる。つまり、治具が無ければ、面付けユニットを取り外すことができない。これにより、凹部とフック部との離脱操作が意図せず行われたり、当該離脱操作が悪意のある者によって行われたりすることを抑制することができる。
【００１３】
この場合、前記係合部および前記被係合部は、それぞれ、複数形成されていることが好ましい。
【００１４】
この構成によれば、複数の係合部と複数の被係合部とが各々係合するため、取付台座は、面付けユニットを安定した姿勢で支持することができる
【００１５】
この場合、前記錠ケースは、電気的な駆動源によって前記扉の木口側でデッドボルトを進退させるボルト機構を内包し、前記面付けユニットは、前記ボルト機構を動作させて施解錠を行う場合に操作される電装部材を含むことが好ましい。
【００１６】
この構成によれば、面付けユニットの盗難を抑制可能であるため、例えば、扉の屋外側にＩＤリーダーやテンキー等の高価な電装部品を含む面付けユニットを配置することができる。
【発明の効果】
【００１７】
本発明によれば、面付けユニットの盗難を抑制することができる。
【図面の簡単な説明】
【００１８】
【図１】本発明の第１実施形態に係る電気錠システムを模式的に示す分解斜視図である。
【図２】本発明の第１実施形態に係る電気錠システムを模式的に示す側面図である。
【図３】本発明の第１実施形態に係る外側ユニット等を示す前方斜視図である。
【図４】本発明の第１実施形態に係る外側ユニット等を示す後方斜視図である。
【図５】本発明の第１実施形態に係る外側ユニットおよびシリンダーを示す後方斜視図である。
【図６】本発明の第１実施形態に係る電気錠システムの保持装置の作用を説明する正面図であって、（Ａ）は固定・接続作業前の状態を示し、（Ｂ）は固定・接続作業が完了した状態を示している。
【図７】本発明の第２実施形態に係る外側ユニットの取付構造を模式的に示す側面図である。
【図８】本発明の第２実施形態に係る外側ユニットおよび取付台座等を示す後方斜視図である。
【図９】本発明の第２実施形態に係る外側ユニットおよび取付台座の一部を示す後方斜視図である。
【図１０】本発明の各実施形態の変形例を説明する側面図であって、（Ａ）は第１変形例に係るシリンダー等を模式的に示し、（Ｂ）は第２変形例に係るシリンダー等を模式的に示している。
【発明を実施するための形態】
【００１９】
以下、本発明の実施の形態について、添付した図面を参照しながら説明する。なお、以下の説明では、便宜上、室外側を正面（前）とし、室内側を背面（後）として、各図に示すように各方向を設定する。また、以下、扉に電気錠システムを取り付けた状態を基準として説明する。
【００２０】
（第１実施形態）
図１および図２を参照して、第１実施形態に係る面付けユニットの取付構造を備える電気錠システム１の全体構成について説明する。図１は電気錠システム１を模式的に示す分解斜視図である。図２は電気錠システム１を模式的に示す側面図である。
【００２１】
電気錠システム１は、扉枠のストライク（図示せず）に対し、電気的にデッドボルト１５を進退させて施解錠を行うものである。電気錠システム１は、電気錠３と、内側ユニット４と、外側ユニット５と、シリンダー６と、保持装置７と、を備えている。
【００２２】
電気錠３は、錠ケース１０と、ボルト機構１１と、を含んで構成されている。錠ケース１０は、扉２の木口２ａから扉２の内部に設けられている。ボルト機構１１は、錠ケース１０に内設されている。
【００２３】
錠ケース１０は、取付板１２を介して木口２ａに固定されている。錠ケース１０の上部には、シリンダー６を挿通させるための略円形状の保持開口１３が厚み方向に貫通形成されている。また、錠ケース１０の下部には、内側レバーハンドル８ａおよび外側レバーハンドル８ｂを取り付けるためのハンドル取付開口１４が厚み方向に貫通形成されている。なお、扉２の室内側壁面２ｂおよび室外側壁面２ｃには、保持開口１３およびハンドル取付開口１４に対応する位置に、それぞれ、壁側開口（図示せず）が形成されている。
【００２４】
ボルト機構１１は、デッドボルト１５と、電動アクチュエーター１６と、動力伝達機構１７と、駆動制御回路１８と、を含んで構成されている。
【００２５】
電気的な駆動源としての電動アクチュエーター１６は、例えば、電動モーターやソレノイド等によって構成されている。電動アクチュエーター１６は、木口２ａ側でデッドボルト１５を進退させる。動力伝達機構１７は、電動アクチュエーター１６の動力をデッドボルト１５に伝達すると共に、シリンダー６等からの施解錠動作をデッドボルト１５に伝達する。駆動制御回路１８は、電動アクチュエーター１６の駆動を制御する。
【００２６】
また、動力伝達機構１７は、各レバーハンドル８ａ，８ｂの動作をデッドボルト１５に伝達する。デッドボルト１５は、内側レバーハンドル８ａまたは外側レバーハンドル８ｂを回動操作することで錠ケース１０内に引き込まれる。これにより、扉２を開放することができる。なお、駆動制御回路１８は、扉２を閉めると自動的にデッドボルト１５を突出するような制御を実行する。
【００２７】
内側ユニット４は、扉２の室内側壁面２ｂに取り付けられている。内側ユニット４は、内側ケース２０と、電源装置２１と、サムターン２２と、を含んで構成されている。
【００２８】
内側ケース２０は、合成樹脂等の絶縁材料によって上下方向に細長い略矩形箱状に形成されている。内側ケース２０の裏面（前面）には、両面テープ２３（粘着部材）が貼り付けられている（図２参照）。内側ユニット４は、両面テープ２３を介して室内側壁面２ｂに貼着されている。
【００２９】
電源装置２１は、上下に並ぶ４本の電池Ｂを保持する電池ボックス２４を有している。電池ボックス２４は、内側ケース２０の内部上側に固定されている。電池ボックス２４には、各電池Ｂの電極に接触して適正な電気回路を形成する電源端子（図示せず）が設けられている。電源装置２１の下側には、内側コネクター２５を支持するコネクターベース２６が設けられている。内側コネクター２５は、所謂フローティングコネクターであって、電源装置２１（の各電源端子）に電気的に接続されている。
【００３０】
サムターン２２は、内側ケース２０の下部に回動可能に支持されている。サムターン２２は、コネクターベース２６を貫通してシリンダー６に連結される回転軸２７を有している。
【００３１】
続いて、図１ないし図５を参照して、面付けユニットとしての外側ユニット５について説明する。図３は外側ユニット５等を示す前方斜視図である。図４は外側ユニット５等を示す後方斜視図である。図５は外側ユニット５およびシリンダー６を示す後方斜視図である。
【００３２】
図２および図３に示すように、外側ユニット５は、ゴムシート３０と、外側ケース３１と、リーダー３２と、を含んで構成されている。外側ケース３１は、ゴムシート３０を介して扉２の室外側壁面２ｃに取り付けられている。電装部材としてのリーダー３２は、ボルト機構１１を動作させて施解錠を行う場合に操作される。
【００３３】
図４に示すように、ゴムシート３０は、例えば、可撓性を有する合成ゴム等によって上下方向に細長い略矩形板状に形成されている。ゴムシート３０の下部には、略円形状のシート下側開口３３が形成されている。ゴムシート３０のシート下側開口３３の上側全体には、上下方向に細長い略矩形状のシート上側開口３４が形成されている。ゴムシート３０は、外側ケース３１の外縁部分に嵌合するように構成されている。
【００３４】
図２および図３に示すように、外側ケース３１は、例えば、合成樹脂等によって上下方向に細長い略矩形箱状に形成されている。外側ケース３１は、ゴムシート３０の前面に配置されている。外側ケース３１は、側面視で下部から上部に向けて細くなるように形成されている。すなわち、外側ケース３１の前面は、下部から上部に向けて後方に傾斜するように形成されている。
【００３５】
外側ケース３１の前面下部には、円形状の鍵開口３５が形成されている（図３参照）。鍵開口３５は、外側ケース３１の前側下部に着脱可能に取り付けられる鍵穴カバー３６に覆われている（図２および図４参照）。一方、外側ケース３１の後面下部には、略円形状の後面開口３７が形成されている（図５参照）。鍵開口３５と後面開口３７とは、外側ケース３１の下部の内部空間Ｓに連通している。
【００３６】
図５に示すように、後面開口３７には、連結プレート４０が取り付けられている。連結プレート４０は、例えば、合成樹脂等の絶縁材料によって一体成形されている。連結プレート４０は、プレート本体４１と、左右一対の取付片４２と、を含んで構成されている。
【００３７】
プレート本体４１は、後面開口３７に嵌合可能な形状に形成されている。プレート本体４１の中央部には、嵌合穴４１ａが貫通形成されている。嵌合穴４１ａは、シリンダー６（シリンダー本体５１）に嵌合するような形状に形成されている。左右一対の取付片４２は、プレート本体４１の左右両端部から前方に延びるように形成されている。各取付片４２は、プレート本体４１との接続部分を中心として左右方向に撓曲可能に形成されている。各取付片４２には、係合穴４２ａが貫通形成されている。
【００３８】
図２、図４および図５に示すように、外側ケース３１の裏面（後面）には、粘着部材としての両面テープ３８が貼り付けられている。両面テープ３８は、外側ケース３１の後面開口３７の上側全体に貼付されている。両面テープ３８は、ゴムシート３０に外側ケース３１を嵌合させたときに、シート上側開口３４から後方に露出するようになっている（図４参照）。外側ユニット５は、両面テープ３８を介して室外側壁面２ｃ（一面）に貼着されている（図２参照）。
【００３９】
図２に示すように、リーダー３２は、外側ケース３１の内部前側に設けられている。リーダー３２は、電気錠３の施解錠に関する入力を受信するように構成されている。リーダー３２は、例えば、非接触型のＩＣカード９に記憶された認証情報を読み取るためのアンテナやＩＣ（Ｉｎｔｅｇｒａｔｅｄ  Ｃｉｒｃｕｉｔ）チップ等（図示せず）を有している。なお、外側ユニットに含まれる電装部材は、リーダー３２に代えて／加えて、タッチキー、テンキーまたは指紋等の生体認証装置等であってもよい。なお、ＩＣカード９に代えて、キーヘッドやタグに認証情報を記憶してもよい。
【００４０】
図２に示すように、シリンダー６は、外側筒部５０と、シリンダー本体５１と、鍵穴部５２と、ダルマ部５３と、回路基板５４と、を含んで構成されている。シリンダー６は、ボルト機構１１を動作させて施解錠を行うために設けられている。
【００４１】
図２および図３に示すように、外側筒部５０は、略円柱状に形成され、外側ケース３１の内部空間Ｓ内に配置されている。外側筒部５０の前端面は、外側ケース３１の鍵開口３５に表出するようになっている。図４および図５に示すように、シリンダー本体５１は、外側筒部５０から後方に延設されている。シリンダー本体５１は、略円筒状に形成されている。詳細には、リンダー本体５１は、外側筒部５０よりも小径で、且つ、錠ケース１０の保持開口１３に嵌合可能な外径を有している。シリンダー本体５１の左右両側面には、雌ネジ部５１ａが穿設されている。
【００４２】
図２および図３に示すように、鍵穴部５２は、シリンダー本体５１の軸心部前側に回転可能に支持されている。鍵穴部５２の前端面は、外側筒部５０の先端面と略同一面上に形成されている。鍵穴部５２の前端面には鍵穴６０が開口し、鍵穴部５２の後端面にはテールピース６１が設けられている。
【００４３】
図２および図４に示すように、ダルマ部５３は、シリンダー本体５１内の後側に回転可能に支持されている。ダルマ部５３の軸心部には、室外側からテールピース６１が嵌挿されている（図２参照）。ダルマ部５３の下部には、径方向に延出する作動凸部６２が一体形成されている。作動凸部６２は、シリンダー本体５１の下面から下方に露出し、動力伝達機構１７に係合している（図２参照）。
【００４４】
図１および図２に示すように、回路基板５４は、シリンダー本体５１の上面に支持されている。回路基板５４は、例えば、ハーネス等（図示せず）を介してリーダー３２に電気的に接続されている。回路基板５４は、リーダー３２に対する操作に基づいてボルト機構１１の動作制御を行う。回路基板５４上には、第１基板側コネクター６３と、第２基板側コネクター６４と、が実装されている。第１基板側コネクター６３は、回路基板５４の後側に配設されている。第２基板側コネクター６４は、回路基板５４の木口２ａ側に配設されている。
【００４５】
ここで、手動による電気錠３の施解錠について説明する。室内でユーザーがサムターン２２を回動させると、回転軸２７を介してダルマ部５３が回動する。そして、ダルマ部５３と共に回動する作動凸部６２が動力伝達機構１７を作動させ、デッドボルト１５が進退する。同様に、室外でユーザーが鍵穴６０に挿し込んだ機械的キーＫ（図３参照）を回動させると、テールピース６１を介してダルマ部５３が回動する。そして、ダルマ部５３と共に回動する作動凸部６２が動力伝達機構１７を作動させ、デッドボルト１５が進退する。なお、鍵穴は、鍵穴カバー３６を取り外すことで露出する。
【００４６】
次に、図１および図６を参照して、保持機構としての保持装置７について説明する。図６は保持装置７の作用を説明する正面図であって、（Ａ）は固定・接続作業前の状態を示し、（Ｂ）は固定・接続作業が完了した状態を示している。
【００４７】
保持装置７は、装着部材７０と、接続部材７１と、解除付勢部材７２と、を含んで構成されている。保持装置７は、外側ユニット５に固定したシリンダー６を錠ケース１０に保持させるために設けられている。
【００４８】
装着部材７０は、例えば、鉄等の金属材料によって略棒状に形成されている。装着部材７０は、取付板１２と錠ケース１０内の支持ブロック７３とによって、左右方向に移動可能、且つ、軸周りに回転可能に支持されている。装着部材７０の左端部は、取付板１２から外部に露出している。装着部材７０の左端面には十字溝Ｄが凹設され（図１参照）、装着部材７０の右端部には雄ネジ（図示せず）が形成されている。
【００４９】
接続部材７１は、正面視で略Ｌ字状に形成され、装着部材７０に上側から跨るように係合している。接続部材７１は、装着部材７０に沿って左右方向に移動可能、且つ、装着部材７０の回転を許容するように係合している。
【００５０】
接続部材７１の右端部には、コネクターホルダー７４を介してケース内コネクター７５が設けられている。ケース内コネクター７５は、所謂コンプレッション型のコネクターであって、コネクターホルダー７４に内設されたコイルスプリング７６によって右方向に付勢されている。ケース内コネクター７５は、電気錠３内の駆動制御回路１８を介して電動アクチュエーター１６に電気的に接続されている。
【００５１】
解除付勢部材７２（所謂コイルスプリング）は、装着部材７０に巻回するように設けられ、装着部材７０を木口２ａ側に向けて付勢している。
【００５２】
次に、電気錠システム１の取り付け手順について説明する。まず、作業者は、電気錠３を木口２ａから扉２の内部に挿入し、取付板１２を木口２ａにネジ留めする（図２参照）。これにより、電気錠３は、扉２内に取り付けられる。このとき、取付板１２は、木口２ａと略同一平面上に固定される（図６参照）。
【００５３】
次に、作業者は、連結プレート４０の嵌合穴４１ａにシリンダー６を後部から進入させる（図５参照）。連結プレート４０は、シリンダー６の外側筒部５０に当接するまで相対的に進入する。
【００５４】
続いて、作業者は、外側ケース３１の後面開口３７に、連結プレート４０に嵌合したシリンダー６の外側筒部５０を進入させる（図５参照）。外側筒部５０が外側ケース３１の内部空間Ｓに進入する過程で、連結プレート４０の各取付片４２は、外側ケース３１の左右両側壁の内面に突出する突起部３１ａに接触する。シリンダー６の進入が進むと、連結プレート４０の各取付片４２は、突起部３１ａに摺接し、内側に撓曲して行く。シリンダー６の進入が更に進むと、各取付片４２は元の状態に弾性変形（復元）して、各係合穴４２ａは突起部３１ａに嵌め込まれる（図５参照）。そして、連結プレート４０は、２本のネジＳ１によって外側ケース３１の上部に固定される（図５参照）。
【００５５】
続いて、作業者は、ゴムシート３０のシート下側開口３３にシリンダー本体５１を進入させ、外側ケース３１の後面外縁部にゴムシート３０を密着させる（図４参照）。なお、この状態で、両面テープ３８の後側の粘着面は、ゴムシート３０の後面と略同一平面上に配置されている。また、シリンダー本体５１は、ゴムシート３０の裏面から後方に延びている。シリンダー６の外側筒部５０はシリンダー本体５１よりも大径に形成されているため、シリンダー６は、連結プレート４０から引き抜くことができない。すなわち、シリンダー６は、連結プレート４０を介して外側ユニット５（外側ケース３１）に離脱不能に連結される。
【００５６】
次に、作業者は、外側ユニット５の裏面に貼着した両面テープ３８の剥離紙を剥がす。そして、作業者は、室外側壁面２ｃ側から錠ケース１０の保持開口１３に外側ユニット５に固定されたシリンダー６（シリンダー本体５１）を挿し込む。外側ユニット５は、室外側壁面２ｃに押し付けられることで、両面テープ３８を介して室外側壁面２ｃに貼り付けられる（図２参照）。この状態で、ゴムシート３０は、外側ケース３１と室外側壁面２ｃとに密着している。これにより、雨水等の侵入を防止することができる。
【００５７】
シリンダー６を錠ケース１０に挿設した状態で、ダルマ部５３や第１基板側コネクター６３等は、室内側の保持開口１３内に表出し、第２基板側コネクター６４は、錠ケース１０内に位置している。
【００５８】
次に、作業者は、保持装置７を用いて、電気錠３に対するシリンダー６の物理的な固定作業と電気的な接続作業と（以下、「固定・接続作業」と呼ぶ。）を実行する。図６（Ａ）に示すように、固定・接続作業前の装着部材７０は、電気錠３に対するシリンダー６の固定を解除する解除位置Ｐ１に位置している。
【００５９】
作業者は、装着部材７０の十字溝Ｄにプラスドライバの先端部を嵌め、解除付勢部材７２の付勢力に抗して装着部材７０を扉２の吊元側（右方向）に向けて押し込む。接続部材７１は、装着部材７０上を相対的に左方向にスライドする。
【００６０】
次に、作業者は、プラスドライバによって装着部材７０を所定方向（例えば、時計回り）に回転させ、雌ネジ部５１ａに装着部材７０の右端部を螺合させる。図６（Ｂ）に示すように、装着部材７０の螺合が完了すると、装着部材７０は、シリンダー６を電気錠３に固定するための固定位置Ｐ２に移動する。ケース内コネクター７５は、コイルスプリング７６に付勢され、第２基板側コネクター６４に電気的に接続される。以上によって、電気錠３に対するシリンダー６の固定・接続作業が完了する。
【００６１】
次に、作業者は、内側ユニット４の裏面に貼着した両面テープ２３の剥離紙を剥がす。そして、作業者は、サムターン２２の回転軸２７をシリンダー６のダルマ部５３に連結させる。略同時に、作業者は、内側コネクター２５を第１基板側コネクター６３に電気的に接続させる。さらに、内側ユニット４は、室内側壁面２ｂに押し付けられることで、両面テープ２３を介して室内側壁面２ｂに貼り付けられる（図２参照）。なお、内側ユニット４は、扉２または錠ケース１０にネジ留め固定されてもよい。また、内側ユニット４は、扉２を挟み込むように外側ユニット５にネジ留めされてもよい。また、例えば、内側ユニット４は、扉２の室内側壁面２ｂや錠ケース１０にネジ留め固定したブラケット（図示せず）に取り付けられてもよい。
【００６２】
次に、作業者は、内側レバーハンドル８ａおよび外側レバーハンドル８ｂを、それぞれ、錠ケース１０のハンドル取付開口１４に挿し込んで、その台座部分を扉２の各壁面に取り付ける（図１参照）。
【００６３】
以上によって、電気錠システム１の取り付けが完了する（図２参照）。リーダー３２、回路基板５４、電動アクチュエーター１６および駆動制御回路１８等は、互いに電気的に接続される。なお、以上説明した電気錠システム１の取り付け手順の逆工程を実行することによって電気錠システム１を扉２から取り外すことができる。
【００６４】
次に、電気錠システム１の解錠動作について簡単に説明する。室外側から入室しようとする者は、ＩＣカード９をリーダー３２にかざす（図２参照）。リーダー３２は、ＩＣカード９から読み取った認証情報を回路基板５４に送信する。回路基板５４は、読み取った認証情報と特定の認証情報とを比較、判別する。各認証情報が合致すると判別された場合、回路基板５４から電気錠３の駆動制御回路１８に解錠信号が出力され、電動アクチュエーター１６の駆動によってデッドボルト１５が錠ケース１０内に引き込まれる（解錠）。一方、合致せずと判別された場合には、回路基板５４からの解錠信号が送信されず、電気錠３の解錠は行われない。なお、特定の認証情報は、回路基板５４に実装される記憶装置（図示せず）に予め記憶されている。
【００６５】
以上説明した第１実施形態に係る外側ユニット５の取付構造は、外側ユニット５と、シリンダー６と、保持装置７と、を含んで構成されている。シリンダー６は、連結プレート４０を介して外側ユニット５に固定されていると共に、保持装置７を介して錠ケース１０に固定されている。すなわち、外側ユニット５は、シリンダー６を介して錠ケース１０に固定されている。したがって、外側ユニット５は、扉２の室外側壁面２ｃから引き剥がされたとしても、シリンダー６を介して錠ケース１０に固定（保持）された状態を維持される。これにより、例えば、扉２の室外側壁面２ｃに外側ユニット５を貼着させた場合であっても、外側ユニット５の盗難を抑制することができる。
【００６６】
また、第１実施形態に係る外側ユニット５の取付構造は、外側ユニット５の盗難を抑制可能であるため、例えば、扉２の屋外側にリーダー３２やテンキー等の高価な電装部品を含む外側ユニット５を配置することができる。
【００６７】
（第２実施形態）
次に、図７ないし図９を参照して、第２実施形態に係る面付けユニット（外側ユニット９０）の取付構造について説明する。図７は外側ユニット９０の取付構造を模式的に示す側面図である。図８は外側ユニット９０および取付台座８０等を示す後方斜視図である。図９は外側ユニット９０および取付台座８０の一部を示す後方斜視図である。なお、上記した第１実施形態に係る電気錠システム１と同様の構成については、同一の符号を付し、説明を省略する。
【００６８】
ところで、第１実施形態に係る外側ユニット５の取付構造では、外側ユニット５が、室外側壁面２ｃに直接両面テープ３８で貼着されている。このため、例えば、賃貸住宅等でシリンダー６を交換するために外側ユニット５を引き剥がした場合、室外側壁面２ｃに両面テープ３８が残存する虞もあった。
【００６９】
そこで、図７に示すように、第２実施形態に係る外側ユニット９０の取付構造は、扉２と外側ユニット９０との間に配置される取付台座８０を備えている。すなわち、第１実施形態における外側ユニット５は、扉２の室外側壁面２ｃに直接貼着されていたが、第２実施形態における外側ユニット９０は、取付台座８０を介して室外側壁面２ｃに間接的に貼着される点が相違する。
【００７０】
図７および図８に示すように、取付台座８０は、台座本体８１と、４つの台座凹部８２と、を含んで構成されている。取付台座８０は、例えば、金属材料によって一体成形されている。
【００７１】
台座本体８１は、背面視で上下方向に細長い略矩形板状に形成されている。台座本体８１は、背面視で外側ケース９１よりも小さく形成されている。台座本体８１の裏面（後面）には、粘着部材としての両面テープ８３が貼り付けられている。台座本体８１（取付台座８０）は、両面テープ８３を介して扉２の室外側壁面２ｃ（一面）に貼着されている。
【００７２】
被係合部としての４つの台座凹部８２は、台座本体８１の四隅部分から前方に延びる係合片８４に形成されている。上側の左右一対の係合片８４は、台座本体８１の上端部に設けられ、下側の左右一対の係合片８４は、台座本体８１の下端部よりもやや上側に設けられている。各台座凹部８２は、係合片８４の台座本体８１側で係合片８４の上下方向中間部を略矩形状に切り欠くように形成されている。詳細は後述するが、４つの台座凹部８２は、それぞれ、外側ユニット９０の各フック部９５に着脱可能に係合する。
【００７３】
図９に示すように、各台座凹部８２は、フック部９５を係止可能な係止面８５を構成している。各係止面８５の上下方向中間部には、台座側解除開口部８６が凹設されている。各台座側解除開口部８６は、側面視で係止面８５を略半円状に切り欠くように形成されている。なお、上側の係合片８４および台座凹部８２は、下側の係合片８４および台座凹部８２よりも上下方向に短く形成されている（図８参照）。
【００７４】
次に、図７および図８に示すように、外側ユニット９０の外側ケース９１は、ベースケース９２と、外側カバー９３と、を含んで構成されている。ベースケース９２は、例えば、合成樹脂等によって上下方向に細長い略トレイ状に形成されている。外側カバー９３は、例えば、合成樹脂等によって上下方向に細長い略矩形箱状に形成されている。外側カバー９３は、ベースケース９２を覆うように被せられている。なお、外側ケース９１は、第１実施形態に係る外側ユニット５の外側ケース３１と略同一の外観であるため、その詳細な説明は省略する。
【００７５】
ベースケース９２は、ベース嵌合部９４と、４つのフック部９５と、を含んで構成されている。なお、ベースケース９２の下部には、後面開口３７が形成されている。
【００７６】
ベース嵌合部９４は、後面開口３７の上側で、ベースケース９２の裏面（後面）に凹設されている。ベース嵌合部９４は、取付台座８０が嵌合するように背面視で略矩形状に形成されている。ベース嵌合部９４の四隅部分には、ベース嵌合部９４の底面から更に凹むようにベース窪み部９６が形成されている。
【００７７】
係合部としての４つのフック部９５は、それぞれ、側面視で略矩形板状に形成されている。各フック部９５は、ベース窪み部９６の底面（後面）から後方に延設されている。各フック部９５は、ベースケース９２の裏面から後方に突出しない位置まで延びている（図９参照）。各フック部９５は、ベース窪み部９６との接続部分を中心にして左右方向に弾性変形可能に形成されている。
【００７８】
図９に示すように、各フック部９５の先端部（後端部）には、左右方向外側に向けて突出する爪部９７が形成されている。爪部９７は、フック部９５の中間部を除いて、フック部９５の外側面の上下両端部に突設されている。各爪部９７には、後端部から前側に向けて外側に傾斜する傾斜面９７ａが形成されている。なお、詳細は後述するが、フック部９５の中間部には、治具Ｊの先端面が当接するための係止解除面９８が形成されている。
【００７９】
各ベース窪み部９６には、フック部９５に対向する面に上下一対のリブ９９が形成されている。上下一対のリブ９９は、側面視で上下両側から各フック部９５を挟むように配置されている。
【００８０】
ベースケース９２の後面には、側面視で各フック部９５の係止解除面９８に一致する箇所にベース側解除開口部１００が形成されている。各ベース側解除開口部１００は、側面視で外側ケース９１を略Ｕ字状に切り欠くように形成されている。ベースケース９２を覆う外側カバー９３には、各ベース側解除開口部１００に一致する箇所に外側解除開口部１０１が形成されている。各外側解除開口部１０１は、外側カバー９３を貫通する円形状の穴である。
【００８１】
次に、取付台座８０および外側ユニット９０の取り付け手順について説明する。なお、電気錠３は、扉２内に取り付けられ、シリンダー６は、連結プレート４０を介して外側ユニット９０に取り付けられた状態であるものとする。
【００８２】
作業者は、取付台座８０の裏面に貼着した両面テープ８３の剥離紙を剥がす。そして、作業者は、室外側壁面２ｃの設定された位置に取付台座８０を貼り付ける。取付台座８０は、室外側壁面２ｃに押し付けられることで、両面テープ８３を介して室外側壁面２ｃに貼り付けられる（図７参照）。
【００８３】
次に、作業者は、扉２に貼着した取付台座８０に外側ユニット９０を取り付ける。具体的には、作業者は、取付台座８０の４つの係合片８４に、外側ユニット９０の４つのベース窪み部９６を位置合せし、取付台座８０に向けて外側ユニット９０を移動させる。すると、取付台座８０の各係合片８４は、各リブ９９とフック部９５との間を通ってベース窪み部９６に相対的に進入して行く。相対移動する各係合片８４は、爪部９７の傾斜面９７ａに摺接し、フック部９５を内側に弾性変形させる。各係合片８４の相対移動が更に進むと、各フック部９５は、元の状態に弾性変形（復元）して、各フック部９５の爪部９７は、各係合片８４の台座凹部８２に嵌め込まれる。この状態で、各爪部９７は、台座凹部８２の係止面８５に係止されている（図９参照）。また、各リブ９９は、台座凹部８２を避けた位置で係合片８４に当接している（図９参照）。
【００８４】
以上によって、外側ユニット９０は、取付台座８０を介して扉２に固定される。この状態で、取付台座８０は、ベース嵌合部９４に嵌合し、外側ユニット９０は、ゴムシート３０を介して室外側壁面２ｃに密着している（図７参照）。なお、各外側解除開口部１０１は、ゴムシート３０によって覆われている。なお、固定・接続作業および内側ユニット４の固定作業等は、上記した第１実施形態に係る電気錠システム１の取り付け手順と同様であるため、その説明は省略する。
【００８５】
次に、取付台座８０から外側ユニット９０を取り外す手順について説明する。なお、保持装置７の装着部材７０は、固定位置Ｐ２から解除位置Ｐ１に移動されているものとする。
【００８６】
作業者は、外側カバー９３の外側解除開口部１０１に細い針状の治具Ｊを差し込む（図９参照）。外側解除開口部１０１を貫通した治具Ｊは、ベース側解除開口部１００と台座側解除開口部８６とを通って、フック部９５の係止解除面９８に突き当たる。作業者が治具Ｊを更に押し込むと、フック部９５は内側に弾性変形する。したがって、各爪部９７と係止面８５との係止状態が解除され、フック部９５は、台座凹部８２から離脱する。作業者は、上記手順で全てのフック部９５を台座凹部８２から離脱（係合解除）させ、外側ユニット９０を前方に引き出す。以上によって、外側ユニット９０は、取付台座８０から取り外される。
【００８７】
以上説明した第２実施形態に係る外側ユニット９０の取付構造によれば、第１実施形態に係る外側ユニット５の取付構造と同様の作用・効果を得ることができる。すなわち、外側ユニット９０と取付台座８０とを分離可能な状態にしても、シリンダー６は、錠ケース１０に固定されている。これにより、外側ユニット９０の盗難を防止することができる。
【００８８】
また、以上説明した第２実施形態に係る外側ユニット９０の取付構造によれば、取付台座８０は、扉２に貼着されると共に外側ユニット９０を着脱可能に支持している。例えば、外側ユニット９０やシリンダー６を交換する場合、既に説明したように、作業者は、シリンダー６と錠ケース１０との連結を解除し、外側ユニット９０の各フック部９５と取付台座８０の各台座凹部８２との係合を解除する。このように、外側ユニット９０およびシリンダー６は、扉２や錠ケース１０から取り外される。したがって、取付台座８０が扉２に貼着した状態を維持しつつ、外側ユニット９０やシリンダー６の交換を簡単に行うことができる。また、取付台座８０を扉２の室外側壁面２ｃから引き剥がす必要がないため、扉２の室外側壁面２ｃに両面テープ８３が残存することもない。これにより、両面テープ８３の除去作業を省略することができると共に両面テープ８３の跡が露出するという問題を防止することができる。
【００８９】
外側ユニット９０および取付台座８０には、各フック部９５を各台座凹部８２から離脱させる操作を行うための治具Ｊを進入させる各解除開口部８６，１００，１０２が形成されている。この構成によれば、外側ユニット９０と取付台座８０とは、フック部９５と台座凹部８２とからなる所謂スナップフィットによって係合している。外側ユニット９０は、治具Ｊを用いてスナップフィットの係合を解除することで、取付台座８０から分離可能な状態になる。つまり、治具Ｊが無ければ、外側ユニット９０を取り外すことができない。これにより、台座凹部８２とフック部９５との離脱操作が意図せず行われたり、当該離脱操作が悪意のある者によって行われたりすることを抑制することができる。
【００９０】
また、外側ユニット９０は、外側ケース９１の取付台座８０側となる裏面（後面）に形成される４つのフック部９５を有している。この構成によれば、複数のフック部９５と複数の台座凹部８２とが各々係合するため、取付台座８０は、外側ユニット９０を安定した姿勢で支持することができる。
【００９１】
なお、第２実施形態では、各フック部９５が外側ユニット９０に設けられ、各台座凹部８２が取付台座８０に設けられていたが、本発明はこれに限定されない。例えば、各フック部９５が取付台座８０に設けられ、各台座凹部８２が外側ユニット９０に設けられてもよい。なお、内側ユニット４が、取付台座８０を介して扉２の室内側壁面２ｂに貼着されていてもよい。
【００９２】
なお、第１および第２実施形態に係る外側ユニット５，９０の取付構造は、粘着部材として両面テープ３８，８３を用いていたが、本発明はこれに限定されない。例えば、両面テープ３８，８３に代えて、粘着部材として接着剤を用いてもよい。
【００９３】
なお、第１および第２実施形態に係る外側ユニット５，９０に固定されたシリンダー６は、錠ケース１０に挿設され、保持装置７によって固定されていたが、本発明はこれに限定されない。例えば、図１０（Ａ）に示すように、シリンダー１１０は、保持装置７に代えて、上下一対の固定ピン１１１を用いて錠ケース１０に固定されていてもよい（第１変形例）。この場合、シリンダー１１０には、各固定ピン１１１を挿し込むための上下一対のピン受け孔１１２が形成される。この場合、各固定ピン１１１と各ピン受け孔１１２とが、保持機構として機能する。なお、図示は省略するが、サムターンも、上下一対の固定ピンによって錠ケース１０に固定されてもよい。他にも、例えば、図１０（Ｂ）に示すように、シリンダー１２０は、錠ケース１０に代えて、扉２に固定されていてもよい（第２変形例）。この場合、シリンダー１２０は、保持装置７に代えて、室内側から扉２を貫通する複数（例えば２つ）のネジ１２１によって固定される。この場合、各ネジ１２１が、保持機構として機能する。
【００９４】
なお、上記した第１および第２変形例の場合、回路基板５４は、電気錠３、内側ユニット４または外側ユニット５のいずれかに内蔵されることが好ましい。また、電気錠３とリーダー３２と回路基板５４とは、例えば、ハーネス等を用いて電気的に接続する。
【００９５】
なお、第１および第２実施形態（各変形例を含む）では、シリンダー６が連結プレート４０を介して外側ユニット５，９０に固定されていたが、本発明はこれに限定されない。図示は省略するが、例えば、連結プレート４０を省略し、外側ケース３１，９１の下部まで後壁を延ばし、この後壁にシリンダー６を支持する挿通穴を開口させてもよい。この挿通穴は、シリンダー６のシリンダー本体５１の挿通を許容するが外側筒部５０の挿通を規制する大きさ（直径）に形成される。外側ケース３１，９１の鍵開口３５は、シリンダー６の外側筒部５０の挿通を許容する大きさ（直径）に形成される。このような構成では、外側ユニット５，９０を室外側壁面２ｃに貼着させた後、シリンダー６を前方から鍵開口３５内に進入させる。シリンダー６のシリンダー本体５１は、外側ケース３１，９１の挿通穴を貫通して錠ケース１０（または扉２）に固定される。シリンダー６の外側筒部５０は挿通穴を通過できないため、シリンダー６は、外側ユニット５，９０に連結された状態になる。すなわち、外側ユニット５，９０は、シリンダー６を介して錠ケース１０等に離脱不能に連結される。なお、シリンダー６は、錠ケース１０等との接続を解除された後に、鍵開口３５内から前方に引き出すことで交換される。
【００９６】
なお、上記実施形態の説明は、本発明に係る面付けユニットの取付構造における一態様を示すものであって、本発明の技術範囲は、上記実施態様に限定されるものではない。上記実施形態における構成要素は、適宜、既存の構成要素等との置き換えや組み合わせが可能であって、上記実施形態の記載をもって、特許請求の範囲に記載された発明の内容を限定するものではない。
【符号の説明】
【００９７】
２  扉
２ａ  木口
２ｃ  室外側壁面（一面）
５，９０  外側ユニット（面付けユニット）
６，１１０，１２０  シリンダー
７  保持装置（保持機構）
１０  錠ケース
１１  ボルト機構
１５  デッドボルト
１６  電動アクチュエーター（駆動源）
３２  リーダー（電装部材）
３８，８３  両面テープ（粘着部材）
８０  取付台座
８４  台座凹部（被係合部、凹部）
８６  台座側解除開口部（解除開口部）
９３  フック部（係合部）
１００  ベース側解除開口部（解除開口部）
１０１  外側解除開口部（解除開口部）
１１１  固定ピン（保持機構）
１１２  ピン受け孔（保持機構）
１２１  ネジ（保持機構）
【図１】
2016079666.tif 000003
【図２】
2016079666.tif 000004
【図３】
2016079666.tif 000005
【図４】
2016079666.tif 000006
【図５】
2016079666.tif 000007
【図６】
2016079666.tif 000008
【図７】
2016079666.tif 000009
【図８】
2016079666.tif 000010
【図９】
2016079666.tif 000011
【図１０】
2016079666.tif 000012